(57)【特許請求の範囲】
【請求項１】
可搬型の記録媒体に記録された、オフセット値の指定を含む印刷データに基づいて印刷を実行する印刷装置であって、
第１の特殊片面印刷の指示を受け付ける設定受け付け手段と、
第１の特殊片面印刷の指示を受け付けた場合には、前記印刷データにおける両面印刷の指示の有無にかかわらず、前記印刷データで指定された表面に適用されるオフセット値を用いて片面印刷を実行し、
第１の特殊片面印刷の指示を受け付けない場合には、前記印刷データにしたがった印刷を実行する印刷実行手段と、
を備えることを特徴とする印刷装置。
【請求項２】
可搬型の記録媒体に記録された、オフセット値の指定を含む印刷データに基づいて印刷を実行する印刷装置であって、
第２の特殊片面印刷の指示および表面に適用するオフセット値の設定を受け付ける設定受け付け手段と、
第２の特殊片面印刷の指示を受け付けた場合には、前記印刷データにおける両面印刷の指示の有無および前記印刷データで指定されたオフセット値の設定にかかわらず、前記設定受け付け手段で受け付けた表面に適用されるオフセット値を用いて片面印刷を実行し、
第２の特殊片面印刷の指示を受け付けない場合には、前記印刷データにしたがった印刷を実行する印刷実行手段と、
を備えることを特徴とする印刷装置。
【請求項３】
可搬型の記録媒体に記録された、オフセット値の指定を含む印刷データに基づいて印刷を実行する印刷装置であって、
第１の特殊片面印刷または第２の特殊片面印刷の指示および表面に適用するオフセット値の設定を受け付ける設定受け付け手段と、
第１の特殊片面印刷の指示を受け付けた場合には、前記印刷データにおける両面印刷の指示の有無にかかわらず、前記印刷データで指定された表面に適用されるオフセット値を用いて片面印刷を実行し、
第２の特殊片面印刷の指示を受け付けた場合には、前記印刷データにおける両面印刷の指示の有無および前記印刷データで指定されたオフセット値の設定にかかわらず、前記設定受け付け手段で受け付けた表面に適用されるオフセット値を用いて片面印刷を実行し、
第１の特殊片面印刷および第２の特殊片面印刷の指示のいずれも受け付けない場合には、前記印刷データにしたがった印刷を実行する印刷実行手段と、
を備えることを特徴とする印刷装置。
【請求項４】
可搬型の記録媒体に記録された、オフセット値の指定を含む印刷データに基づいて印刷を実行する印刷装置であって、
第１の特殊両面印刷の指示を受け付ける設定受け付け手段と、
第１の特殊両面印刷の指示を受け付けた場合には、前記印刷データにおける両面印刷の指示の有無にかかわらず、前記印刷データで指定された表面に適用されるオフセット値を基準に両面印刷を実行し、
第１の特殊両面印刷の指示を受け付けない場合には、前記印刷データにしたがった印刷を実行する印刷実行手段と、
を備えることを特徴とする印刷装置。
【請求項５】
可搬型の記録媒体に記録された、オフセット値の指定を含む印刷データに基づいて印刷を実行する印刷装置であって、
第２の特殊両面印刷の指示および表面に適用するオフセット値の設定を受け付ける設定受け付け手段と、
第２の特殊両面印刷の指示を受け付けた場合には、前記印刷データにおける両面印刷の指示の有無および前記印刷データで指定されたオフセット値の設定にかかわらず、前記設定受け付け手段で受け付けた表面に適用されるオフセット値を基準に両面印刷を実行し、
第２の特殊両面印刷の指示を受け付けない場合には、前記印刷データにしたがった印刷を実行する印刷実行手段と、
を備えることを特徴とする印刷装置。
【請求項６】
可搬型の記録媒体に記録された、オフセット値の指定を含む印刷データに基づいて印刷を実行する印刷装置であって、
第１の特殊両面印刷または第２の特殊両面印刷の指示および表面に適用するオフセット値の設定を受け付ける設定受け付け手段と、
第１の特殊両面印刷の指示を受け付けた場合には、前記印刷データにおける両面印刷の指示の有無にかかわらず、前記印刷データで指定された表面に適用されるオフセット値を基準に両面印刷を実行し、
第２の特殊両面印刷の指示を受け付けた場合には、前記印刷データにおける両面印刷の指示の有無および前記印刷データで指定されたオフセット値の設定にかかわらず、前記設定受け付け手段で受け付けた表面に適用されるオフセット値を基準に両面印刷を実行し、
第１の特殊両面印刷および第２の特殊両面印刷の指示のいずれも受け付けない場合には、前記印刷データにしたがった印刷を実行する印刷実行手段と、
を備えることを特徴とする印刷装置。
【請求項７】
可搬型の記録媒体に記録された、オフセット値の指定を含む印刷データに基づいて印刷を実行する印刷装置であって、
第１の特殊両面印刷の指示を受け付ける設定受け付け手段と、
第１の特殊両面印刷の指示を受け付けた場合であって、前記印刷データに両面印刷の指示が含まれていない場合には、前記印刷データで指定された表面に適用されるオフセット値を基準に両面印刷を実行し、
それ以外の場合には、前記印刷データにしたがった印刷を実行する印刷実行手段と、
を備えることを特徴とする印刷装置。
【請求項８】
可搬型の記録媒体に記録された、オフセット値の指定を含む印刷データに基づいて印刷を実行する印刷装置であって、
第２の特殊両面印刷の指示および表面に適用するオフセット値の設定を受け付ける設定受け付け手段と、
第２の特殊両面印刷の指示を受け付けた場合であって、前記印刷データに両面印刷の指示が含まれていない場合には、前記印刷データで指定されたオフセット値の設定にかかわらず、前記設定受け付け手段で受け付けた表面に適用されるオフセット値を基準に両面印刷を実行し、
それ以外の場合には、前記印刷データにしたがった印刷を実行する印刷実行手段と、
を備えることを特徴とする印刷装置。
【請求項９】
可搬型の記録媒体に記録された、オフセット値の指定を含む印刷データに基づいて印刷を実行する印刷装置であって、
第１の特殊両面印刷の指示または第２の特殊両面印刷の指示および表面に適用するオフセット値の設定を受け付ける設定受け付け手段と、
第１の特殊両面印刷の指示を受け付けた場合であって、前記印刷データに両面印刷の指示が含まれていない場合には、前記印刷データで指定された表面に適用されるオフセット値を基準に両面印刷を実行し、
第２の特殊両面印刷の指示を受け付けた場合であって、前記印刷データに両面印刷の指示が含まれていない場合には、前記印刷データで指定されたオフセット値の設定にかかわらず、前記設定受け付け手段で受け付けた表面に適用されるオフセット値を基準に両面印刷を実行し、
それ以外の場合には、前記印刷データにしたがった印刷を実行する印刷実行手段と、
を備えることを特徴とする印刷装置。
【発明の詳細な説明】
【技術分野】
【０００１】
本発明は、可搬型の記録媒体に記録された印刷データを読み込んで印刷を実行する印刷装置に関する。
【背景技術】
【０００２】
従来、コンピュータとプリンタとは、有線あるいは無線の伝送路で接続され、コンピュータが出力した印刷データを伝送路を介してプリンタが直接入力して、印刷データに基づいた印刷が行なわれている。ここで、印刷データは、そのプリンタが解釈可能なページ記述言語等で記述されている。また、印刷データには、両面／片面の指示、綴じ側の指示オフセット値等の印刷設定を含めることができ、プリンタはこれらの指示にしたがって印刷を実行する。
【０００３】
近年では、ＵＳＢメモリ、メモリカード等の可搬型の記録媒体を読み込むことができる印刷装置が実用化され、記録媒体に記録された画像データをコンピュータを使用せずにスタンドアローンで印刷できるようになっている。ここで、画像データは、ＪＰＥＧ等の所定のフォーマットで記録されている。
【０００４】
また、特許文献１には、両面印刷において、綴じ位置を調整することにより読みにくい見開きが存在しないようにする技術が開示されている。
【０００５】
【特許文献１】特開２００２−７９７１７号公報
【発明の開示】
【発明が解決しようとする課題】
【０００６】
上述のようにプリンタ単体で印刷する場合には、記録媒体に画像データを格納するようにしていたが、コンピュータが生成した印刷データを記録媒体に出力し、プリンタが記録媒体から印刷データを読み込んで印刷を実行させることが考えられる。
【０００７】
このような印刷処理において、印刷データに、両面／片面の指示、綴じ側の指示、オフセット値等の印刷設定が含まれているときには、その印刷設定にしたがった印刷を実行することも考えられるが、パソコンから出力したときと異なる印刷設定で印刷を行ないたい場合も起き得る。例えば、両面設定でパソコンから出力された印刷データを片面で印刷したい場合、あるいは、片面設定でパソコンから出力された印刷データを両面で印刷したい場合等である。
【０００８】
ところが、両面設定の印刷データを単純に片面印刷したり、片面設定の印刷データを単純に両面印刷すると、綴じ側方向、オフセットの関係から、奇数ページと偶数ページとでレイアウトが異なったり、表面と裏面とで綴じ側が異なる等の不都合が起きる可能性がある。
【０００９】
本発明は、印刷データに含まれる印刷設定と異なる印刷設定で印刷する印刷装置において、印刷位置を適正に調整することを目的とする。
【課題を解決するための手段】
【００１０】
上記課題を解決するための本発明の第１の態様である印刷装置は、
可搬型の記録媒体に記録された、印刷位置の指定を含む印刷データに基づいて印刷を実行する印刷装置であって、
第１の特殊片面印刷の指示を受け付ける設定受け付け手段と、
第１の特殊片面印刷の指示を受け付けた場合には、前記印刷データにおける両面印刷の指示の有無にかかわらず、前記印刷データで指定された表面に適用される印刷位置を用いて片面印刷を実行し、
第１の特殊片面印刷の指示を受け付けない場合には、前記印刷データにしたがった印刷を実行する印刷実行手段とを備えることを特徴とする。
【００１１】
これにより、印刷データが両面設定であっても、印刷データで指定された表面のレイアウトと同じ態様で全ページが片面で印刷されるため、印刷結果を表面の綴じ側で綴じた場合に、統制がとれて、使い勝手がよくなる。
【００１２】
上記課題を解決するための本発明の第２の態様である印刷装置は、
可搬型の記録媒体に記録された、印刷位置の指定を含む印刷データに基づいて印刷を実行する印刷装置であって、
第２の特殊片面印刷の指示および表面に適用する印刷位置の設定を受け付ける設定受け付け手段と、
第２の特殊片面印刷の指示を受け付けた場合には、前記印刷データにおける両面印刷の指示の有無および前記印刷データで指定された印刷位置の設定にかかわらず、前記設定受け付け手段で受け付けた表面に適用される印刷位置を用いて片面印刷を実行し、
第２の特殊片面印刷の指示を受け付けない場合には、前記印刷データにしたがった印刷を実行する印刷実行手段とを備えることを特徴とする。
【００１３】
これにより、印刷データが両面設定であっても、設定受け付け手段で設定された表面のレイアウトと同じ態様で全ページが片面で印刷されるため、印刷結果を表面の綴じ側で綴じた場合に、統制がとれて、使い勝手がよくなる。
【００１４】
上記課題を解決するための本発明の第３の態様である印刷装置は、
可搬型の記録媒体に記録された、印刷位置の指定を含む印刷データに基づいて印刷を実行する印刷装置であって、
第１の特殊両面印刷の指示を受け付ける設定受け付け手段と、
第１の特殊両面印刷の指示を受け付けた場合には、前記印刷データにおける両面印刷の指示の有無にかかわらず、前記印刷データで指定された表面に適用される印刷位置を基準に両面印刷を実行し、
第１の特殊両面印刷の指示を受け付けない場合には、前記印刷データにしたがった印刷を実行する印刷実行手段とを備えることを特徴とする。
【００１５】
これにより、印刷データが片面設定であっても、印刷データで指定された表面のレイアウトを基準とした態様で全ページが両面印刷されるため、印刷結果を表面の綴じ側で綴じた場合に、統制がとれて、使い勝手がよくなる。
【００１６】
上記課題を解決するための本発明の第４の態様である印刷装置は、
可搬型の記録媒体に記録された、印刷位置の指定を含む印刷データに基づいて印刷を実行する印刷装置であって、
第２の特殊両面印刷の指示および表面に適用する印刷位置の設定を受け付ける設定受け付け手段と、
第２の特殊両面印刷の指示を受け付けた場合には、前記印刷データにおける両面印刷の指示の有無および前記印刷データで指定された印刷位置の設定にかかわらず、前記設定受け付け手段で受け付けた表面に適用される印刷位置を基準に両面印刷を実行し、
第２の特殊両面印刷の指示を受け付けない場合には、前記印刷データにしたがった印刷を実行する印刷実行手段とを備えることを特徴とする。
【００１７】
これにより、印刷データが片面設定であっても、設定受け付け手段で設定された表面のレイアウトを基準とした態様で全ページが両面印刷されるため、印刷結果を表面の綴じ側で綴じた場合に、統制がとれて、使い勝手がよくなる。
【発明を実施するための最良の形態】
【００１８】
本発明の実施例について図面を参照して説明する。
【００１９】
図１は、本発明を適用した印刷システムの機能構成を説明するためのブロック図である。本図に示すように、印刷システムは、コンピュータ１００とプリンタ２００とを備えて構成される。ただし、コンピュータ１００とプリンタ２００とは接続されている必要はない。
【００２０】
コンピュータ１００は、オペレーティングシステム（ＯＳ）部１１０と、プリンタ２００が解釈可能な言語で記述された印刷データを生成するプリンタドライバ部１２０とを備えている。ここで、コンピュータ１００は、例えば、汎用的なパーソナルコンピュータを用いることができる。
【００２１】
ＯＳ部は、ＵＳＢメモリ３００へのアクセスを可能とするＵＳＢ制御部１１１を備えている。これにより、プリンタドライバ部１２０で生成した印刷データをＵＳＢメモリ３００に記録することができるようになっている。
【００２２】
なお、本実施例では、可搬型の記録媒体の例としてＵＳＢメモリ３００を用いているが、メモリカード等の他の記録媒体を用いるようにしてもよい。
【００２３】
プリンタ２００は、印刷制御部２１０、印刷実行部２２０、操作パネル２３０を備えている。
【００２４】
印刷制御部２１０は、印刷データおよび操作パネル２３０からのユーザの指示にしたがった印刷処理を制御する。また、印刷制御部２１０は、ＵＳＢメモリ３００にアクセスするためのＵＳＢ制御部２１２と、印刷に適用する印刷条件、例えば、両面／片面印刷、綴じ側、オフセット等を設定する印刷条件設定部２１１を備えている。
【００２５】
印刷実行部２２０は、印刷制御部２１０の制御により印刷データおよび操作パネル２３０からのユーザの指示にしたがった印刷を実行する。印刷実行部２２０の印字方式は、例えば、インクジェット方式、レーザ方式のいずれであってもよい。
【００２６】
印刷実行部２２０は、印刷用紙の給排紙を行なう給排紙機構２２１を備えており、本実施例においては自動あるいは手動による両面印刷機能を備えているものとする。
【００２７】
上述のように、本実施例では、コンピュータ１００からＵＳＢメモリ３００に印刷データが記録される。ここで、印刷データの構造の一例について図２を参照して説明する。本図に示すように、印刷データはヘッダ部とページデータ部とフッタ部とを有している。ページデータ部は、ページ単位で構成された印刷データの本体部分である。
【００２８】
ヘッダ部分には、ジョブの開始を指示するコマンド等に加え、その印刷についての設定情報が含まれている。これらの設定情報は、プリンタドライバ部１２０がユーザからの指示に基づいて作成する。
【００２９】
本実施例において、設定情報には、用紙方向（縦／横）、両面印刷の有無、綴じ側（無／長辺／短辺）、オフセット値（表上、表左、裏上。裏左）が含まれている。
【００３０】
これらの設定情報が示す内容と印刷結果について図３を参照して説明する。
【００３１】
図３（ａ）は、用紙方向として「縦」が設定されている場合の印刷結果を示し、図３（ｂ）は、用紙方向として「横」が設定されている場合の印刷結果を示している。
【００３２】
図３（ｃ）は、両面印刷で用紙方向が「縦」であり綴じ側として「長辺」が設定された場合の印刷結果を示している。この場合、表面は左側にオフセットが設けられ、裏面は右側にオフセットが設けられる。
【００３３】
図３（ｄ）は、両面印刷で用紙方向が「縦」であり綴じ側として「短辺」が設定された場合の印刷結果を示している。この場合、表面裏面とも上側にオフセットが設けられ、裏面は上下が反転して印刷される。
【００３４】
図３（ｅ）は、両面印刷で用紙方向が「横」であり綴じ側として「短辺」が設定された場合の印刷結果を示している。この場合、表面は左側にオフセットが設けられ、裏面は右側にオフセットが設けられる。
【００３５】
図３（ｆ）は、両面印刷で用紙方向が「縦」であり綴じ側として「長辺」が設定された場合の印刷結果を示している。この場合、表面裏面とも上側にオフセットが設けられ、裏面は上下が反転して印刷される。
【００３６】
なお、オフセットは表裏面とも独立して設定することができ、それぞれの量は、左オフセットと上オフセットで表わされるものとする。
【００３７】
例えば、図３（ｇ）は、表面のオフセットを表わしており、表左オフセットとしてプラスαが設定され、表上オフセットとしてプラスβが設定されている。
【００３８】
綴じ側が右側に設けられると左オフセットはマイナスとなり、綴じ側が下側に設けられると上オフセットはマイナスとなるる。例えば、図３（ｈ）は、表左オフセットとしてマイナスαが設定されており、図３（ｉ）は表上オフセットとしてマイナスβが設定されている。
【００３９】
また、図３（ｊ）に示すように、裏側に対しても同様に裏左オフセットおよび裏上オフセットを設定することができる。
【００４０】
つぎに、本実施例における印刷処理の概要について図４のフロー図を参照して説明する。本実施例では、コンピュータ１００で作成した印刷データをＵＳＢメモリ３００に記録する処理とプリンタ２００がＵＳＢメモリ３００から印刷データを読み込んで印刷する処理とが独立して行なわれる。
【００４１】
まず、コンピュータ１００における処理を説明する。コンピュータ１００のプリンタドライバ部１２０は、印刷対象となっているドキュメントについて印刷設定をユーザから受け付ける（Ｓ１０１）。印刷設定は従来同様にプリンタドライバ部１２０が提供するユーザインタフェース画面上において受け付けることができる。
【００４２】
ここで、印刷設定には、用紙方向、両面／片面、綴じ側、オフセット値を含めることができる。また、印刷データの出力先として、ＵＳＢメモリが指定されたものとする。
【００４３】
そして、印刷対象のドキュメントおよび印刷設定にしたがって印刷データを生成し、ＵＳＢメモリ３００に出力する（Ｓ１０２）。
【００４４】
一方、プリンタ２００では、あらかじめ初期設定を受け付けておくことができる（Ｓ１０３）。初期設定とは、ユーザから印刷実行時に印刷設定の指定を受け付けなかった場合に適用されるデフォルトの設定である。
【００４５】
初期設定としては、両面／片面、綴じ側、オフセット値を含めることができる。また、後述する特殊印刷の設定を初期設定に含めるようにしてもよい。
【００４６】
プリンタ２００は、印刷データが記録されているＵＳＢメモリ３００を読み込んで、印刷を実行することができる（Ｓ１０４）。
【００４７】
この際に、ユーザは、従来のように印刷データに含まれる印刷設定にしたがった印刷を実行することもできるが、本実施例においては、印刷データの印刷設定によらない印刷を実行することもできる。この印刷を特殊印刷と称するものとする。
【００４８】
なお、印刷設定によらない印刷としては、たとえば、印刷データでは両面印刷が設定されているにもかかわらず、片面印刷を行なったり、逆に印刷データでは片面印刷が設定されているにもかかわらず、両面印刷を行なったりすることが挙げられる。この際に、綴じ方向、オフセット値も印刷データによらずに設定することができる。
【００４９】
ここでは、操作パネル２３０を介してユーザにより特殊印刷の指定を受け付けたものとする（Ｓ１０５）。特殊印刷の指示では、大きく分けて、特殊印刷片面モードと特殊印刷両面モードのいずれかを選択することができる。
【００５０】
なお、特殊印刷片面モードとは、印刷データに含まれる両面／片面の印刷設定に係わらず、片面印刷を行なうモードである。また、特殊印刷片面モードとは、印刷データに含まれる両面／片面の印刷設定に係わらず、両面印刷を行なうモードである。前者は、印刷用紙の都合で片面印刷を行ないたいとき、両面印刷機能を備えていないプリンタ等で有効であり、後者は、印刷用紙を節約したいとき等に有効である。
【００５１】
また、それぞれのモードにおいて、印刷データ優先およびパネル設定優先のいずれかを選択することができる。
【００５２】
ここで、印刷データ優先は、印刷データに含まれる表面のオフセット値の印刷設定が全ページに適用される設定である。このとき、印刷データに含まれる裏面のオフセット値、パネル設定によるオフセット値は用いられない。また、パネル設定優先は、プリンタ２００の操作パネルで設定された表面のオフセット値が全ページに適用される設定である。このとき、印刷データに含まれるオフセット値、パネル設定による裏面のオフセット値は用いられない。なお、特殊印刷両面モードのパネル設定優先が設定された場合には、ユーザは、さらに長辺綴じ、短辺綴じを指定することができる。ただし、指定がない場合には、初期設定（Ｓ１０３）の値が用いられることになる。
【００５３】
そして、これらの設定にしたがって特殊印刷が実行される（Ｓ１０６）。
【００５４】
つぎに、ＵＳＢメモリ３００に記録された印刷データに基づく印刷の実行時におけるプリンタ２００の処理について図５のフロー図を参照して説明する。
【００５５】
印刷実行の指示を受け付けると、特殊印刷の指示がなされているかどうかを判断する（Ｓ２０１）。その結果、特殊印刷の指示がなされていない場合（Ｓ２０１：Ｎ）には、従来どおり、印刷データに含まれる印刷設定にしたがって印刷を実行する（Ｓ２０２）。
【００５６】
一方、特殊印刷の指示がなされている場合（Ｓ２０１：Ｙ）には、片面モードが指定されているか両面モードが指定されているかを判断する（Ｓ２０３）。
【００５７】
さらに、優先項目が印刷データ優先かパネル設定優先かを判断する（Ｓ２０４、Ｓ２０７）。
【００５８】
この結果、特殊印刷片面モードで印刷データ優先の場合には、印刷データに含まれる表面のオフセット値を全ページに適用して片面印刷を実行する（Ｓ２０５）。これにより、印刷データが両面設定であっても、印刷データで指定された表面のレイアウトと同じ態様で全ページが片面で印刷されるため、印刷結果を表面の綴じ側で綴じた場合に、統制がとれて、使い勝手がよくなる。
【００５９】
また、特殊印刷片面モードでパネル設定優先の場合には、操作パネル２３０で初期設定されたオフセット値を全ページに適用して片面印刷を実行する（Ｓ２０６）。これにより、印刷データが両面設定であっても、印刷データのオフセット値とは無関係にプリンタ２００で表面に設定された態様で全ページが片面で印刷される。したがって、印刷結果を操作パネル２３０で設定されたオフセット側で綴じた場合に、統制がとれて、使い勝手がよくなる。また、初期設定でオフセット０を設定しておくことで、印刷データに含まれるオフセット値をキャンセルすることもできる。
【００６０】
また、特殊印刷両面モードで印刷データ優先の場合には、印刷データに含まれる表面のオフセット値を基準にして両面印刷を実行する（Ｓ２０７）。具体的には、印刷データに含まれる表面の印刷設定を基準に図６に示すような規則で裏面の印刷設定を行なって印刷を実行する。
【００６１】
すなわち、印刷データに含まれる表左オフセットをαとし、表上オフセットをβとすると、表面は、表左オフセットのαおよび表上オフセットのβをそのまま用いて印刷し、裏面については、印刷データに含まれる印刷設定で用紙方向が「縦」で「長辺綴じ」、あるいは、用紙方向が「横」で「短辺綴じ」の場合は、裏左オフセットを−αとし、裏上オフセットをβとして印刷を実行する。
【００６２】
これにより、印刷データが片面設定であっても、印刷データで指定された表面のレイアウトを基準とした態様で全ページが両面印刷されるため、印刷結果を表面の綴じ側で綴じた場合に、統制がとれて、使い勝手がよくなる。
【００６３】
また、特殊印刷両面モードでパネル設定優先の場合には、操作パネルで設定された表面のオフセット値を基準にして両面印刷を実行する（Ｓ２０８）。具体的には、印刷データの用紙方向および操作パネルで設定された表面の印刷設定を基準に図６に示すような規則で裏面の印刷設定を行なって印刷を実行する。なお、特殊印刷指定時に操作パネルにより長辺綴じ／短辺綴じが設定された場合には、この特殊印刷指定時の設定を用い、特殊印刷指定時に長辺綴じ／短辺綴じが設定されなかった場合には初期設定の設定を用いるようにする。
【００６４】
すなわち、操作パネルで設定された表左オフセットをαとし、表上オフセットをβとすると、表面は、表左オフセットのαおよび表上オフセットのβをそのまま用いて印刷し、裏面については、印刷データの用紙方向が「縦」で操作パネルの設定が「長辺綴じ」、あるいは、印刷データの用紙方向が「横」で操作パネルの設定が「短辺綴じ」の場合は、裏左オフセットを−αとし、裏上オフセットをβとして印刷を実行する。
【００６５】
これにより、印刷データが片面設定であっても、操作パネル２３０で設定された表面のレイアウトを基準とした態様で全ページが両面印刷されるため、印刷結果を表面の綴じ側で綴じた場合に、統制がとれて、使い勝手がよくなる。また、初期設定でオフセット０を設定しておくことで、印刷データに含まれるオフセット値をキャンセルすることもできる。
【００６６】
なお、本発明は上記の実施形態に限られることはない。例えば、上記の例では、プリンタ２００は、特殊印刷片面モードと特殊印刷両面モードのいずれかを選択することができるようにしていたが、一方のモードのみを備えるようにしてもよい。
【００６７】
また、優先項目として、印刷データ優先とパネル設定優先のいずれかを選択することができるようにしていたが、一方の項目のみを備えるようにしてもよい。
【００６８】
また、上記の例では、プリンタ２００の特殊印刷に関する設定を初期設定時（Ｓ１０３）と特殊印刷操作時（Ｓ１０５）の両方行なえるようにしていたが、いずれか一方に行なえるようにしてもよい。
【００６９】
さらに、上記の例では、印刷データに含まれる両面／片面設定は処理の判断基準として用いていなかったが、例えば、特殊印刷両面モードが指定された場合であっても、印刷データが両面設定の場合には、印刷データにしたがった両面印刷を行ない、印刷データが片面設定の場合には、特殊印刷両面モードによる印刷データ優先あるいはパネル設定優先の両面印刷を行なうようにしてもよい。
【図面の簡単な説明】
【００７０】
【図１】本発明を適用した印刷システムの機能構成を説明するためのブロック図。
【図２】印刷データの構造の一例を示す図。
【図３】設定情報が示す内容と印刷結果について説明する図。
【図４】印刷処理の概要について説明するフロー図。
【図５】印刷実行時の処理を説明するフロー図。
【図６】特殊印刷両面モードにおける裏面印刷の設定規則を示す図。
【符号の説明】
【００７１】
１００…コンピュータ、１１０…ＯＳ部、１１１…ＵＳＢ制御部、１２０…プリンタドライバ部、２００…プリンタ、２１０…印刷制御部、２１１…印刷条件設定部、２１２…ＵＳＢ制御部、２２０…印刷実行部、２２１…給排紙機構、２３０…操作パネル、３００…ＵＳＢメモリ
【図１】
0004725275.tif 000002
【図２】
0004725275.tif 000003
【図３】
0004725275.tif 000004
【図４】
0004725275.tif 000005
【図５】
0004725275.tif 000006
【図６】
0004725275.tif 000007